(57)【要約】【課題】利用者が手動でアプリケーションを切り替えることなく、読取られた原稿サイズに応じて自動的にアプリケーションを切り替えて起動させることができる、利便性を向上させた画像読取処理装置および画像読取処理方法を提供することを課題とする。【解決手段】本発明は、原稿の画像を読取るスキャナに接続され、原稿サイズに応じて起動されるべきアプリケーションを定義付けた設定情報を記憶し、スキャナを制御し、スキャナの制御により読取られた画像の原稿サイズを判断し、設定情報に基づいて、判断された原稿サイズに対応するアプリケーションを判断して起動させる。【選択図】        図１
2008131254.tif 000002
【特許請求の範囲】
【請求項１】
原稿の画像を読取るスキャナに接続され、記憶装置と制御装置を少なくとも備えた画像読取処理装置であって、
上記記憶装置は、
原稿サイズに応じて起動されるべきアプリケーションを定義付けた設定情報を記憶する設定情報記憶手段、
を備え、
上記制御装置は、
上記スキャナを制御するスキャナ制御部と、
上記スキャナ制御部による上記スキャナの制御により読取られた上記画像の上記原稿サイズを判断する原稿サイズ判断部と、
上記設定情報記憶手段に記憶された上記設定情報に基づいて、上記原稿サイズ判断部によって判断された上記原稿サイズに対応する上記アプリケーションを判断して起動させる起動アプリケーション判断部と、
を備えたことを特徴とする画像読取処理装置。
【請求項２】
上記設定情報記憶手段は、
文字、図形、記号、色彩またはレイアウトの少なくとも一つを含むレイアウト等情報に応じて起動されるべき上記アプリケーションを定義付けて上記設定情報に記憶し、
上記制御装置は、
上記画像から上記レイアウト等情報を識別するレイアウト等識別部、
を更に備え、
上記起動アプリケーション判断部は、
上記設定情報記憶手段に記憶された上記設定情報に基づいて、上記レイアウト等識別部によって識別された上記レイアウト等情報に対応する上記アプリケーションを判断して起動させること、
を特徴とする請求項１に記載の画像読取処理装置。
【請求項３】
上記起動アプリケーション判断部は、
上記画像情報または上記レイアウト等識別部によって識別された上記レイアウト等情報を、上記起動させた上記アプリケーションに転送すること、
を特徴とする請求項１または２に記載の画像読取処理装置。
【請求項４】
上記原稿サイズ判断部は、
上記読取られた上記画像において、上記原稿のエッジ部分を検出することにより上記原稿サイズを判断すること、
を特徴とする請求項１乃至３のいずれか一つに記載の画像読取処理装置。
【請求項５】
上記設定情報は、
上記原稿サイズが名刺サイズの場合に、名刺専用アプリケーションまたはメールアプリケーションを起動させ、
上記原稿サイズがはがきサイズの場合に、はがき専用アプリケーションを起動させ、
上記原稿サイズがレシートサイズの場合に、レシート専用アプリケーションを起動させ、
上記原稿サイズが写真サイズの場合に、日記アプリケーションを起動させ、
上記原稿サイズがその他の登録された上記原稿サイズまたは上記レイアウトの場合に、当該登録された上記原稿サイズまたは上記レイアウトのための上記アプリケーションを起動させ、
上記原稿サイズが上記登録された上記原稿サイズまたは上記レイアウトのいずれにも属
さない場合に、ファイル管理用アプリケーションを起動させるよう定義付けたこと、
を特徴とする請求項１乃至４のいずれか一つに記載の画像読取処理装置。
【請求項６】
上記設定情報は、
１）上記複数の上記原稿の上記画像のうち少なくとも一つの上記原稿サイズが上記名刺サイズであるとき、２）当該名刺サイズの上記画像から上記レイアウト等識別部によって識別された上記レイアウト等情報が名刺データベースに存在するとき、３）当該名刺サイズの上記画像から上記レイアウト等識別部によって識別された上記レイアウト等情報にメールアドレスが含まれるとき、または、４）当該名刺サイズの上記画像から上記レイアウト等識別部によって識別された上記文字、上記図形、上記記号または上記色彩が予め指定されたものであるときに、
上記アプリケーションとして上記メールアプリケーションを起動させ、上記識別された上記レイアウト等情報中の上記メールアドレスを宛先として、その他の上記原稿の上記画像情報または上記レイアウト等情報を添付ファイルとして、上記起動させた上記メールアプリケーションに転送するよう定義付けたこと、
を特徴とする請求項５に記載の画像読取処理装置。
【請求項７】
上記設定情報は、
上記日記アプリケーションを起動させた場合に、
上記写真サイズの上記原稿の上記画像を写真表示用領域に設定し、その他の上記原稿の上記レイアウト等情報を日記本文として設定して、保存するよう定義付けたこと、
を特徴とする請求項５に記載の画像読取処理装置。
【請求項８】
上記設定情報は、
上記原稿サイズが上記登録された上記レイアウトの場合に、帳票用アプリケーションを起動させ、上記起動させた上記帳票用アプリケーションに、上記画像の上記画像情報または上記レイアウト等情報を、対応付けて保存するよう定義付けたこと、
を特徴とする請求項５に記載の画像読取処理装置。
【請求項９】
上記起動アプリケーション判断部は、
読取した上記画像を利用者が指定した上記アプリケーションで起動した場合、当該アプリケーションを上記原稿サイズ判断部によって判断された上記原稿サイズ、または、上記レイアウト等識別部によって識別された上記レイアウト等情報に定義付けて設定情報記憶手段に格納すること、
を特徴とする請求項１乃至８のいずれか一つに記載の画像読取処理装置。
【請求項１０】
原稿の画像を読取るスキャナに接続され、記憶装置と制御装置を少なくとも備えた画像読取処理装置において実行される画像読取処理方法であって、
上記記憶装置は、原稿サイズに応じて起動されるべきアプリケーションを定義付けた設定情報を記憶する設定情報記憶手段を備えており、
上記制御装置において実行される、
上記スキャナを制御するスキャナ制御ステップと、
上記スキャナ制御ステップにおいて上記スキャナの制御により読取られた上記画像の上記原稿サイズを判断する原稿サイズ判断ステップと、
上記設定情報記憶手段に記憶された上記設定情報に基づいて、上記原稿サイズ判断ステップにおいて判断された上記原稿サイズに対応する上記アプリケーションを判断して起動させる起動アプリケーション判断ステップと、
を含むことを特徴とする画像読取処理方法。
【発明の詳細な説明】
【技術分野】
【０００１】
本発明は、画像読取処理装置および画像読取処理方法に関し、特に、アプリケーションの自動切換えを行う画像読取処理装置および画像読取処理方法に関する。
【背景技術】
【０００２】
従来、スキャナで画像を読取る場合には、利用者が、スキャナの読取り後にアプリケーションを選択して起動するか、コンピュータが、ユーザーが予め指定していたアプリケーションを起動していた。また、別の方法では、利用者が、起動させたアプリケーションからスキャナを制御して画像を読取っていた。
【０００３】
ここで、特許文献１に記載の方法は、画像を取り込む際の原稿サイズ毎に読取領域や解像度などの設定情報を対応付けて記憶させておき、利用者が読み込みに際して原稿サイズを選択することにより、対応する設定情報を画像入力装置に転送し設定するものである。
【０００４】
【特許文献１】特開平１−３０５４７９号公報
【発明の開示】
【発明が解決しようとする課題】
【０００５】
しかしながら、従来の方法では、使用するアプリケーションを切替える必要がある場合には、利用者がアプリケーションを選択して起動し読取りを行うか、スキャナドライバー上で起動したいアプリケーションを指定しなければならず、複数のアプリケーションを使用する場合において、操作が煩雑であるという問題点を有していた。
【０００６】
特に、特許文献１に記載の方法では、利用者は依然として読取りに際して、原稿サイズを選択しなくてはならず煩雑であり、また、アプリケーションが自動的に起動するという構成ではなく、利用者が画像読取後に改めてアプリケーションを指定する必要がある、という問題がある。
【０００７】
本発明は、上記に鑑みてなされたもので、煩雑な操作を必要とすることなく、簡単にアプリケーションを切り替えることができる画像読取処理装置および画像読取処理方法を提供することを目的とする。
【課題を解決するための手段】
【０００８】
このような目的を達成するため、請求項１に記載の画像読取処理装置は、原稿の画像を読取るスキャナに接続され、記憶装置と制御装置を少なくとも備えた画像読取処理装置であって、上記記憶装置は、原稿サイズに応じて起動されるべきアプリケーションを定義付けた設定情報を記憶する設定情報記憶手段、を備え、上記制御装置は、上記スキャナを制御するスキャナ制御部と、上記スキャナ制御部による上記スキャナの制御により読取られた上記画像の上記原稿サイズを判断する原稿サイズ判断部と、上記設定情報記憶手段に記憶された上記設定情報に基づいて、上記原稿サイズ判断部によって判断された上記原稿サイズに対応する上記アプリケーションを判断して起動させる起動アプリケーション判断部と、を備えたことを特徴とする。
【０００９】
また、請求項２に記載の画像読取処理装置は、請求項１に記載の画像読取処理装置において、上記設定情報記憶手段は、文字、図形、記号、色彩またはレイアウトの少なくとも一つを含むレイアウト等情報に応じて起動されるべき上記アプリケーションを定義付けて上記設定情報に記憶し、上記制御装置は、上記画像から上記レイアウト等情報を識別する
レイアウト等識別部、を更に備え、上記起動アプリケーション判断部は、上記設定情報記憶手段に記憶された上記設定情報に基づいて、上記レイアウト等識別部によって識別された上記レイアウト等情報に対応する上記アプリケーションを判断して起動させること、を特徴とする。
【００１０】
また、請求項３に記載の画像読取処理装置は、請求項１または２に記載の画像読取処理装置において、上記起動アプリケーション判断部は、上記画像情報または上記レイアウト等識別部によって識別された上記レイアウト等情報を、上記起動させた上記アプリケーションに転送すること、を特徴とする。
【００１１】
また、請求項４に記載の画像読取処理装置は、請求項１乃至３のいずれか一つに記載の画像読取処理装置において、上記原稿サイズ判断部は、上記読取られた上記画像において、上記原稿のエッジ部分を検出することにより上記原稿サイズを判断すること、を特徴とする。
【００１２】
また、請求項５に記載の画像読取処理装置は、請求項１乃至４のいずれか一つに記載の画像読取処理装置において、上記設定情報は、上記原稿サイズが名刺サイズの場合に、名刺専用アプリケーションまたはメールアプリケーションを起動させ、上記原稿サイズがはがきサイズの場合に、はがき専用アプリケーションを起動させ、上記原稿サイズがレシートサイズの場合に、レシート専用アプリケーションを起動させ、上記原稿サイズが写真サイズの場合に、日記アプリケーションを起動させ、上記原稿サイズがその他の登録された上記原稿サイズまたは上記レイアウトの場合に、当該登録された上記原稿サイズまたは上記レイアウトのための上記アプリケーションを起動させ、上記原稿サイズが上記登録された上記原稿サイズまたは上記レイアウトのいずれにも属さない場合に、ファイル管理用アプリケーションを起動させるよう定義付けたこと、を特徴とする。
【００１３】
また、請求項６に記載の画像読取処理装置は、請求項５に記載の画像読取処理装置において、上記設定情報は、１）上記複数の上記原稿の上記画像のうち少なくとも一つの上記原稿サイズが上記名刺サイズであるとき、２）当該名刺サイズの上記画像から上記レイアウト等識別部によって識別された上記レイアウト等情報が名刺データベースに存在するとき、３）当該名刺サイズの上記画像から上記レイアウト等識別部によって識別された上記レイアウト等情報にメールアドレスが含まれるとき、または、４）当該名刺サイズの上記画像から上記レイアウト等識別部によって識別された上記文字、上記図形、上記記号または上記色彩が予め指定されたものであるときに、上記アプリケーションとして上記メールアプリケーションを起動させ、上記識別された上記レイアウト等情報中の上記メールアドレスを宛先として、その他の上記原稿の上記画像情報または上記レイアウト等情報を添付ファイルとして、上記起動させた上記メールアプリケーションに転送するよう定義付けたこと、を特徴とする。
【００１４】
また、請求項７に記載の画像読取処理装置は、請求項５に記載の画像読取処理装置において、上記設定情報は、上記日記アプリケーションを起動させた場合に、上記写真サイズの上記原稿の上記画像を写真表示用領域に設定し、その他の上記原稿の上記レイアウト等情報を日記本文として設定して、保存するよう定義付けたこと、を特徴とする。
【００１５】
また、請求項８に記載の画像読取処理装置は、請求項５に記載の画像読取処理装置において、上記設定情報は、上記原稿サイズが上記登録された上記レイアウトの場合に、帳票用アプリケーションを起動させ、上記起動させた上記帳票用アプリケーションに、上記画像の上記画像情報または上記レイアウト等情報を、対応付けて保存するよう定義付けたこと、を特徴とする。
【００１６】
また、請求項９に記載の画像読取処理装置は、請求項１乃至８のいずれか一つに記載の画像読取処理装置において、上記起動アプリケーション判断部は、読取した上記画像を利用者が指定した上記アプリケーションで起動した場合、当該アプリケーションを上記原稿サイズ判断部によって判断された上記原稿サイズ、または、上記レイアウト等識別部によって識別された上記レイアウト等情報に定義付けて設定情報記憶手段に格納すること、を特徴とする。
【００１７】
また、請求項１０に記載の画像読取処理方法は、原稿の画像を読取るスキャナに接続され、記憶装置と制御装置を少なくとも備えた画像読取処理装置において実行される画像読取処理方法であって、上記記憶装置は、原稿サイズに応じて起動されるべきアプリケーションを定義付けた設定情報を記憶する設定情報記憶手段を備えており、上記制御装置において実行される、上記スキャナを制御するスキャナ制御ステップと、上記スキャナ制御ステップにおいて上記スキャナの制御により読取られた上記画像の上記原稿サイズを判断する原稿サイズ判断ステップと、上記設定情報記憶手段に記憶された上記設定情報に基づいて、上記原稿サイズ判断ステップにおいて判断された上記原稿サイズに対応する上記アプリケーションを判断して起動させる起動アプリケーション判断ステップと、を含むことを特徴とする。
【発明の効果】
【００１８】
本発明によれば、利用者が手動でアプリケーションを切り替えることなく、読取られた原稿サイズに応じて自動的にアプリケーションを切り替えて起動させることができるので、利便性が向上するという効果を奏する。また、利用者が手動で切り替えることによるオペレーションミスを防止することができる。
【発明を実施するための最良の形態】
【００１９】
以下に、本発明にかかる画像読取処理装置または画像読取処理方法の実施の形態を図面に基づいて詳細に説明する。なお、この実施の形態によりこの発明が限定されるものではない。
【００２０】
［本発明の概要］
以下、本発明の概要について説明し、その後、本発明の構成および処理等について詳細に説明する。
【００２１】
本発明は、概略的に、以下の基本的特徴を有する。すなわち、本発明は、原稿の画像を読取るスキャナに接続されて構成される。
【００２２】
また、本発明は、原稿サイズに応じて起動されるべきアプリケーションを定義付けた設定情報を記憶する。ここで、本発明は、レイアウト等（文字、図形、記号、色彩、レイアウト等）情報に応じて起動されるべきアプリケーションを定義付けた設定情報を記憶してもよい。なお、具体的な設定情報の内容と設定情報に基づく処理方法の詳細については、後述する。
【００２３】
つぎに、本発明は、スキャナを制御して、原稿の画像を読取る。
【００２４】
つづいて、本発明は、読取られた画像の原稿サイズを判断する。ここで、本発明は、読取った原稿のエッジ部分を検出することにより原稿サイズを判断するようにしてもよい。
【００２５】
最後に、本発明は、記憶された設定情報に基づいて、判断された原稿サイズに対応するアプリケーションを判断して起動させる。ここで、本発明は、読取られた画像のレイアウトを識別し、記憶された設定情報に基づいて、識別したレイアウト等情報に対応するアプ
リケーションを判断して起動させてもよい。
【００２６】
また、ここで、本発明は、対応するアプリケーションを起動させた後、画像情報または識別したレイアウト等の情報を、起動させたアプリケーションに転送してもよく、識別されたレイアウト等情報に応じてアプリケーションを起動させる構成としてもよい。
【００２７】
以上が、本発明の概要である。上記発明によれば、読取られた原稿サイズに応じて自動的に対応するアプリケーションが起動するので、利用者は、煩雑な手動によるアプリケーションを選択して起動する必要がなく、利便性が向上する。また、人為的操作ミスも未然に防止することができる。
【００２８】
［画像読取処理装置の構成］
まず、本画像読取処理装置の構成について説明する。図１は、本発明が適用される本画像読取処理装置の構成の一例を示すブロック図であり、該構成のうち本発明に関係する部分のみを概念的に示している。図１に示すように、本画像読取処理装置１００は、概略的に、スキャナ１１２に通信可能に接続して構成されている。
【００２９】
図１において、画像読取処理装置１００は、概略的に、画像読取処理装置１００の全体を統括的に制御するＣＰＵ等の制御装置１０２、スキャナ１１２に接続される入出力制御インターフェース部１０８、および、各種のデータベースやテーブルなどを格納する記憶装置１０６を備えて構成されており、これら各部は任意の通信路を介して通信可能に接続されている。
【００３０】
記憶装置１０６に格納される各種のデータベースやテーブル（設定情報記憶ファイル１０６ａ〜メールアドレス帳ファイル１０６ｃ）は、固定ディスク装置等のストレージ手段であり、各種処理に用いる各種のプログラムやテーブルやファイルやデータベース等を格納する。
【００３１】
これら記憶装置１０６の各構成要素のうち、設定情報記憶ファイル１０６ａは、原稿サイズまたはレイアウト等情報に応じて起動されるべきアプリケーションを定義付けた設定情報を記憶する設定情報記憶手段である。
【００３２】
ここで、「設定情報」は、原稿サイズまたはレイアウト等情報に応じて起動されるべきアプリケーションを定義付けた情報のことであり、例えば、原稿サイズが名刺サイズの場合に、名刺専用アプリケーションまたはメールアプリケーションを起動させ、原稿サイズがはがきサイズの場合に、はがき専用アプリケーションを起動させ、原稿サイズがレシートサイズの場合に、レシート専用アプリケーションを起動させ、原稿サイズが写真サイズの場合に、日記アプリケーションを起動させ、原稿サイズがその他の登録されたサイズまたはレイアウトの場合に、登録されたサイズまたはレイアウトのためのアプリケーションを起動させ、原稿サイズが登録されたサイズまたはレイアウトのいずれにも属さない場合に、ファイル管理用アプリケーションを起動させるよう定義付けてもよい。また、ここで、「設定情報」は、１）複数の原稿の画像のうち少なくとも一つの原稿サイズが名刺サイズであるとき、２）名刺サイズの画像からレイアウト等識別部１０２ｇによって識別されたレイアウト等情報が以前読取られたことがあるとき、３）名刺サイズの画像からレイアウト等識別部１０２ｇによって識別されたレイアウト等情報にメールアドレスが含まれるとき、または、４）名刺サイズの画像からレイアウト等識別部１０２ｇによって識別された図形、記号または色彩が予め指定されたものであるときに、アプリケーションとしてメールアプリケーションを起動させ、識別されたレイアウト等情報中のメールアドレスを宛先として、その他の原稿の画像情報またはレイアウト等情報を添付ファイルとして、メールアプリケーションに転送するよう定義付けてもよい。
【００３３】
また、記憶装置１０６の各構成要素のうち、名刺データベース１０６ｂは、読取った名刺の情報を蓄積する名刺情報蓄積手段である。
【００３４】
また、メールアドレス帳ファイル１０６ｃは、メールアドレスの一覧を記憶するメールアドレス帳記憶手段である。
【００３５】
また、図１において、入出力制御インターフェース部１０８は、スキャナ１１２の制御を行う。
【００３６】
また、スキャナ１１２は、原稿の画像を読取る原稿画像読取手段である。
【００３７】
また、図１において、制御装置１０２は、ＯＳ（Ｏｐｅｒａｔｉｎｇ  Ｓｙｓｔｅｍ）等の制御プログラム、各種の処理手順等を規定したプログラム、および所要データを格納するための内部メモリを有し、これらのプログラム等により、種々の処理を実行するための情報処理を行う。制御装置１０２は、機能概念的に、スキャナ制御部１０２ａ、原稿サイズ判断部１０２ｂ、起動アプリケーション判断部１０２ｃ、アプリケーション部１０２ｄ、レイアウト等識別部１０２ｇを備えて構成されている。
【００３８】
このうち、スキャナ制御部１０２ａは、入出力制御インターフェース部１０８を介してスキャナ１１２を制御するスキャナ制御手段である。
【００３９】
また、原稿サイズ判断部１０２ｂは、スキャナ制御部１０２ａによるスキャナ１１２の制御により読取られた画像の原稿サイズを判断する原稿サイズ判断手段である。ここで、原稿サイズ判断部１０２ｂは、読取られた画像において、原稿のエッジ部分を検出することにより原稿サイズを判断してもよい。
【００４０】
また、起動アプリケーション判断部１０２ｃは、設定情報記憶ファイル１０６ａに記憶された設定情報に基づいて、原稿サイズ判断部１０２ｂによって判断された原稿サイズまたはレイアウト等識別部１０２ｇによって判断されたレイアウト等情報に対応するアプリケーションを判断して起動させる起動アプリケーション判断手段である。ここで、起動アプリケーション判断部１０２ｃは、設定情報記憶ファイル１０６ａに記憶された設定情報に基づいて、アプリケーションを起動させ、画像情報またはレイアウト等識別部１０２ｇによって識別されたレイアウト等情報を、起動させたアプリケーション部１０２ｄに転送してもよい。また、起動アプリケーション判断部１０２ｃは、読取した画像を利用者が指定したアプリケーションで起動した場合、当該アプリケーションを原稿サイズ判断部１０２ｂによって判断された原稿サイズ、または、レイアウト等識別部１０２ｇによって識別されたレイアウト等情報に定義付けて設定情報記憶ファイル１０６ａに格納してもよい。
【００４１】
また、アプリケーション部１０２ｄは、特定の機能を実現するアプリケーション手段である。ここで、アプリケーション部１０２ｄは、図１に示すように、登録アプリケーション部１０２ｅと、ファイル管理用アプリケーション部１０２ｆを備えて構成されている。ここで、登録アプリケーション部１０２ｅは、原稿サイズ判断部１０２ｂによって判断された原稿サイズが、設定情報記憶ファイル１０６ａの設定情報に登録されたサイズまたはレイアウトである場合に起動される、当該登録されたサイズまたはレイアウトのためのアプリケーション手段である。ここで、起動される登録アプリケーション部１０２ｅとしては、一例として、名刺専用アプリケーション、はがき専用アプリケーション、レシート専用アプリケーション、メールアプリケーション、日記アプリケーション、帳票用アプリケーション等がある。
【００４２】
また、ファイル管理用アプリケーション部１０２ｆは、原稿サイズ判断部１０２ｂによって判断された原稿サイズが、設定情報記憶ファイル１０６ａに記憶される設定情報に未登録であるサイズまたはレイアウトである場合に起動される、ファイル管理用アプリケーション手段である。ここで、ファイル管理用アプリケーション部１０２ｆは、取得した画像情報またはレイアウト等情報等のデータを転送する機能を有していてもよい。また、ここで、登録アプリケーション部１０２ｅは、原稿サイズ判断部１０２ｂによって判断された原稿サイズ、または、レイアウト等識別部１０２ｇによって識別されたレイアウトに対応付けて、起動すべきアプリケーションを、利用者に指定させ、指定されたアプリケーションを当該原稿サイズまたはレイアウトに定義付けて設定情報記憶ファイル１０６ａに格納するよう制御してもよい。以上で、本画像読取処理装置の構成の説明を終える。
【００４３】
また、レイアウト等識別部１０２ｇは、画像から文字、図形、記号、色彩またはレイアウトをレイアウト等情報として識別するレイアウト等情報識別手段であり、例えば、レイアウト等識別部１０２ｇによってレイアウト情報や図形情報などを取得してもよく、さらにレイアウト等識別部１０２ｇは、光学式文字読取手段（OCR：Optical Character Recognition）により文字や記号などを取得してもよい。ここで、図２は、レイアウト等識別部１０２ｇによって、認識されるレイアウトの一例を示す図である。
【００４４】
図２右図に示すような原稿の画像がスキャナ１１２により読取られた場合、レイアウト等識別部１０２ｇは、矩形情報を認識することにより、図２左図に示すようなレイアウトを識別する。ここで「矩形情報」とは、例えば、矩形の幅または長さの情報、矩形の個数、矩形の位置情報、直線の長さ情報等のことである。このように矩形情報から得られるレイアウト情報は、例えば帳票管理等に利用されることになる。
【００４５】
以上が、本画像読取装置の構成の説明である。
【００４６】
［画像の読取処理］
次に、このように構成された本実施の形態における本画像読取処理装置１００の処理の一例について、以下に図１および図３〜図６を参照して詳細に説明する。
【００４７】
［起動アプリケーション判断処理］
まず、起動アプリケーション判断処理の詳細について図３を参照して説明する。図３は、本実施の形態における本画像読取処理装置１００のスキャナ制御処理、原稿サイズ判断処理および起動アプリケーション判断処理の一例を示すフローチャートである。
【００４８】
図３に示すように、スキャナ制御部１０２ａは、利用者が入力装置を操作する等により、読取開始命令があった場合に、入出力制御インターフェース部１０８を介してスキャナ１１２を制御することにより、原稿の画像読取を開始する（ステップＳＡ−１）。
【００４９】
そして、スキャナ制御部１０２ａは、原稿が複数ページあるか否かを判断し（ステップＳＡ−２）、複数ページあると判断した場合は（ステップＳＡ−２、Ｙｅｓ）、複数ページ処理（ステップＳＡ−３）を開始する。なお、複数ページ処理の内容については、図４を参照して後述する。
【００５０】
他方、スキャナ制御部１０２ａが、原稿が単一ページであると判断した場合は（ステップＳＡ−２、Ｎｏ）、原稿サイズ判断部１０２ｂは、スキャナ制御部１０２ａの処理によるスキャナ１１２の制御により読取られた画像の原稿サイズを判断する（ステップＳＡ−４）。ここで、原稿サイズ判断部１０２ｂは、原稿サイズを判断する際に、読取られた画像において、原稿のエッジ部分を検出することにより原稿サイズを判断してもよい。
【００５１】
そして、起動アプリケーション判断部１０２ｃは、設定情報記憶ファイル１０６ａに記憶された設定情報に基づいて、原稿サイズ判断部１０２ｂの処理により判断された原稿サイズに対応するアプリケーションを判断して起動させる。すなわち、起動アプリケーション判断部１０２ｃは、原稿サイズ判断部１０２ｂの処理により判断された原稿サイズが名刺サイズの場合には（ステップＳＡ−５、Ｙｅｓ）、設定情報記憶ファイル１０６ａに記憶された設定情報に基づいて、名刺専用アプリケーションを起動させる（ステップＳＡ−６）。
【００５２】
他方、原稿サイズが名刺サイズでない場合は（ステップＳＡ−５、Ｎｏ）、起動アプリケーション判断部１０２ｃは、原稿サイズ判断部１０２ｂの処理により判断された原稿サイズがはがきサイズか否かを判断し、はがきサイズである場合に（ステップＳＡ−７、Ｙｅｓ）、はがき専用アプリケーションを起動させる（ステップＳＡ−８）。
【００５３】
他方、原稿サイズがはがきサイズでない場合は（ステップＳＡ−７、Ｎｏ）、起動アプリケーション判断部１０２ｃは、原稿サイズ判断部１０２ｂの処理により判断された原稿サイズがレシートサイズか否かを判断し、レシートサイズである場合に（ステップＳＡ−９、Ｙｅｓ）、レシート専用アプリケーションを起動させる（ステップＳＡ−１０）。
【００５４】
他方、原稿サイズがレシートサイズでない場合は（ステップＳＡ−９、Ｎｏ）、起動アプリケーション判断部１０２ｃは、原稿サイズ判断部１０２ｂの処理により判断された原稿サイズがその他の登録されたサイズであるか否かを判断し、登録されたサイズである場合に（ステップＳＡ−１１、Ｙｅｓ）、起動アプリケーション判断部１０２ｃは、さらに、レイアウト等識別部１０２ｇの処理により識別されたレイアウトが登録されたレイアウトであるか否かを判断する（ステップＳＡ−１２）。
【００５５】
ここで、起動アプリケーション判断部１０２ｃは、レイアウトが登録されたレイアウトであると判断した場合は（ステップＳＡ−１２、Ｙｅｓ）、対応する登録されたアプリケーションを起動させる（ステップＳＡ−１３）。
【００５６】
他方、起動アプリケーション判断部１０２ｃは、レイアウトが登録されたレイアウトでないと判断した場合は（ステップＳＡ−１２、Ｎｏ）、ファイル管理用アプリケーションを起動させる（ステップＳＡ−１５）。
【００５７】
再び、ステップＳＡ−１１の説明に戻って、起動アプリケーション判断部１０２ｃは原稿サイズが登録されたサイズでないと判断した場合は（ステップＳＡ−１１、Ｎｏ）、ファイル管理用アプリケーションを起動させる（ステップＳＡ−１４）。なお、起動アプリケーション判断部１０２ｃにより起動されたファイル管理用アプリケーション部１０２ｆの詳細な処理については、図６を参照して後述する。
【００５８】
［複数ページ処理］
前述の通り、スキャナ制御部１０２ａにより原稿が複数ページ存在すると判断した場合は、複数ページ処理が行われる（ステップＳＡ−３）。ここで、複数ページ処理に詳細について図４を参照して説明する。図４は、複数ページ処理の一例を示すフローチャートである。
【００５９】
図４に示すように、原稿サイズ判断部１０２ｂは、スキャナ制御部１０２ａの処理によるスキャナ１１２の制御により読取られた画像の原稿サイズを判断する（ステップＳＢ−１）。
【００６０】
そして、原稿サイズ判断部１０２ｂは、スキャナ制御部１０２ａの処理により読取られ
たページ数から、全ての原稿の画像について、原稿サイズの判断を行ったか否かを判断する（ステップＳＢ−２）。そして、原稿サイズ判断部１０２ｂは、未だ判断していない画像があると判断した場合は（ステップＳＢ−２、Ｎｏ）、ステップＳＢ−１に処理を戻し、全ての原稿の画像について原稿サイズ判断処理が終わるまで、ステップＳＢ−１とステップＳＢ−２の処理を繰り返す。
【００６１】
他方、原稿サイズ判断部１０２ｂが全ての原稿の画像について原稿サイズの判断を行ったと判断した場合は（ステップＳＢ−２、Ｙｅｓ）、起動アプリケーション判断部１０２ｃは、設定情報記憶ファイル１０６ａに記憶された設定情報に基づいて、原稿サイズ判断部１０２ｂによって判断された原稿サイズに対応するアプリケーションを判断して起動させる。すなわち、起動アプリケーション判断部１０２ｃは、原稿サイズ判断部１０２ｂの処理により判断された複数の原稿の画像の中に、原稿サイズが名刺サイズであるものが存在するか否かを判断する（ステップＳＢ−３）。
【００６２】
ここで、起動アプリケーション判断部１０２ｃは、全ての複数の原稿について、名刺サイズが無いと判断した場合は（ステップＳＢ−３、Ｎｏ）、複数ページ名刺サイズ無しの場合の処理を行う（ステップＳＢ−４）。なお、この複数ページ名刺サイズ無しの処理の詳細については、図５を用いて後述する。
【００６３】
他方、起動アプリケーション判断部１０２ｃが、複数の原稿の画像のうち少なくとも一つの原稿サイズが名刺サイズであると判断した場合に（ステップＳＢ−３、Ｙｅｓ）、レイアウト等識別部１０２ｇは、名刺サイズの画像に基づいてレイアウト等識別処理を行う（ステップＳＢ−５）。ここで、レイアウト等識別部１０２ｇの処理によるレイアウト等識別処理は、ＯＣＲ処理を用いてもよい。
【００６４】
そして、起動アプリケーション判断部１０２ｃは、レイアウト等識別部１０２ｇにより識別されたレイアウト等情報中の名刺情報（会社名や氏名等）を、名刺データベース１０６ｂから検索する（ステップＳＢ−６）。
【００６５】
ここで、起動アプリケーション判断部１０２ｃは、識別された名刺情報が名刺データベース１０６ｂに存在しないと判断した場合は（ステップＳＢ−６、Ｎｏ）、名刺情報が新規であるとして、名刺専用アプリケーション（登録アプリケーション部１０２ｅ）を起動させて、名刺情報を登録するよう制御し（ステップＳＢ−７）、ファイル管理用アプリケーション部１０２ｆを起動して、その他の原稿の画像情報またはレイアウト等情報を処理（例えば、保存）するよう制御する（ステップＳＢ−８）。
【００６６】
他方、起動アプリケーション判断部１０２ｃは、名刺情報が名刺データベース１０６ｂ中に存在すると判断した場合は（ステップＳＢ−６、Ｙｅｓ）、識別されたレイアウト等情報にメールアドレスが存在するか否かを判断する（ステップＳＢ−９）。ここで、起動アプリケーション判断部１０２ｃは、例えば、アットマーク“＠”が存在するか否かによりメールアドレスの存在を判断してもよい。
【００６７】
そして、起動アプリケーション判断部１０２ｃは、メールアドレスが存在しないと判断した場合は（ステップＳＢ−９、Ｎｏ）、ファイル管理用アプリケーション部１０２ｆを起動させる（ステップＳＢ−１０）。
【００６８】
他方、起動アプリケーション判断部１０２ｃは、メールアドレスが存在すると判断した場合は（ステップＳＢ−９、Ｙｅｓ）、メールアプリケーション（登録アプリケーション部１０２ｅ）を起動させる。そして、メールアプリケーション部（登録アプリケーション部１０２ｅ）は、メールアドレスと判断されたレイアウト等情報を宛先として、その他の
原稿の画像情報またはレイアウト等情報を添付ファイルまたは本文として設定し、メール画面を表示する。メールアプリケーション部（登録アプリケーション部１０２ｅ）は、当該メールアドレスをメールアドレス帳ファイル１０６ｃに格納するよう構成してもよい。
【００６９】
ここで、起動アプリケーション判断部１０２ｃは、名刺に特定のマーク（文字、図形、記号、色彩等であり、例えば、赤インクで書かれたＸ印）が名刺サイズの画像に存在するか否かを判断することにより、メールアプリケーションを起動させるか否かを判断するよう構成してもよい。
【００７０】
以上が、複数ページ処理（名刺あり）のフローである。これにより、利用者は、名刺に添えて、メール本文の原稿や写真原稿をスキャンさせることにより、メールアプリケーションを自動的に起動させることができ、また、メールアドレスや添付ファイル等が自動的に設定されたメール画面が表示されるので、利便性が向上する。
【００７１】
［複数ページ名刺サイズ無しの処理］
次に、複数ページで名刺サイズがない場合の処理（ステップＳＢ−４）の詳細について図５を参照して説明する。図５は、本実施の形態における本画像読取処理装置１００の複数ページで名刺サイズがない場合の処理の一例を示すフローチャートである。
【００７２】
図５に示すように、まず、起動アプリケーション判断部１０２ｃは、原稿サイズ判断部１０２ｂの処理により判断された複数の原稿の画像の中に、原稿サイズが写真サイズ（例えば、Ｌ版サイズ）であるものが存在するか否かを判断する（ステップＳＣ−１）。
【００７３】
そして、起動アプリケーション判断部１０２ｃは、写真サイズがあると判断した場合は（ステップＳＣ−１、Ｙｅｓ）、日記アプリケーションを起動させ、起動した日記アプリケーション部（登録アプリケーション部１０２ｅ）は、写真サイズの画像情報と共にその他の原稿の画像情報またはレイアウト等情報を日記として保存し、写真サイズの画像情報を画面上に表示する（ＳＣ−２）。
【００７４】
他方、起動アプリケーション判断部１０２ｃは、写真サイズがないと判断した場合は（ステップＳＣ−１、Ｎｏ）、起動アプリケーション判断部１０２ｃは、原稿サイズ判断部１０２ｂの処理により判断された原稿サイズがその他の登録されたサイズであるか否かを判断し（ステップＳＣ−３）、登録されたサイズである場合に（ステップＳＣ−３、Ｙｅｓ）、起動アプリケーション判断部１０２ｃは、さらに、レイアウト等識別部１０２ｇの処理により識別されたレイアウトが登録されたレイアウトであるか否かを判断する（ステップＳＣ−４）。
【００７５】
ここで、起動アプリケーション判断部１０２ｃは、レイアウトが登録されたレイアウトであると判断した場合は（ステップＳＣ−４、Ｙｅｓ）、設定情報に基づいて対応する登録された帳票用アプリケーション（登録アプリケーション部１０２ｅ）を起動させる（ステップＳＣ−５）。ここで、起動した帳票用アプリケーション部（登録アプリケーション部１０２ｅ）は、前回保存されたレイアウトと同様の区分でデータを振り分けて保存し、帳票以外のデータは添付ファイルとして保存する。
【００７６】
他方、起動アプリケーション判断部１０２ｃは、レイアウトが登録されたレイアウトでないと判断した場合は（ステップＳＣ−４、Ｎｏ）、ファイル管理用アプリケーションを起動させる（ステップＳＣ−７）。
【００７７】
再び、ステップＳＣ−３の説明に戻って、他方、起動アプリケーション判断部１０２ｃは原稿サイズが登録されたサイズでないと判断した場合は（ステップＳＣ−３、Ｎｏ）、
ファイル管理用アプリケーションを起動させる（ステップＳＣ−６）。なお、ファイル管理用アプリケーションによって起動されたファイル管理用アプリケーション部１０２ｆの詳細な処理については、図６を参照して後述する。以上で、複数ページで名刺サイズがない場合の処理についての説明を終える。
【００７８】
［ファイル管理アプリケーション部の処理］
次に、ファイル管理用アプリケーション部１０２ｆの処理の詳細について図６を参照して説明する。図６は、本実施の形態における本画像読取処理装置１００のファイル管理用アプリケーション部１０２ｆの処理の一例を示すフローチャートである。
【００７９】
まず、ファイル管理用アプリケーション部１０２ｆは、利用者が起動を所望するアプリケーションを、利用者に選択させるよう出力装置または入力装置を制御し、指定されたアプリケーションの情報を取得する（ステップＳＤ−１）。
【００８０】
そして、ファイル管理用アプリケーション部１０２ｆは、原稿サイズ判断部１０２ｂの処理により判断された原稿サイズを取得する（ステップＳＤ−２）。
【００８１】
そして、ファイル管理用アプリケーション部１０２ｆは、レイアウト等識別部１０２ｇに矩形認識を実行させて、レイアウト情報を取得するよう制御する（ステップＳＤ−３）。
【００８２】
そして、ファイル管理用アプリケーション部１０２ｆは、指定された特定アプリケーション情報と、原稿サイズ判断部１０２ｂの処理により取得した原稿サイズ情報と、レイアウト等識別部１０２ｇの処理により取得したレイアウト情報とを、起動アプリケーション判断部１０２ｃに対応付けて通知する（ステップＳＤ−４）。
【００８３】
そして、通知を受けた起動アプリケーション判断部１０２ｃは、これらの情報を設定情報記憶ファイル１０６ａに対応付けて格納するので、原稿サイズまたはレイアウト等情報に応じて起動されるべきアプリケーションが設定情報に追加登録される（ステップＳＤ−５）。
【００８４】
ここで、ファイル管理用アプリケーション部１０２ｆは、取得した画像情報またはレイアウト等情報等のデータを転送する機能を有し、当該指定されたアプリケーションを起動させて、登録アプリケーション部１０２ｅにデータを転送する。
【００８５】
これにて、ファイル管理用アプリケーション部１０２ｆの処理が終了する。これにより、読み込んだ画像の原稿サイズまたはレイアウトが設定情報に登録されていない場合であっても、簡単に設定登録することができ、次回スキャン時にアプリケーションが自動で起動されることになり、利便性が向上する。
【００８６】
［原稿サイズ判断処理］
画像サイズ判断部１０２ｂによる原稿のエッジの検出を利用した画像の原稿サイズ判断処理の一例について、図７および図８を用いて詳細に説明する。
【００８７】
まず、原稿サイズ判断部１０２ｂは、スキャナ１１２により読取られた画像のうちの、全幅が裏当て部である領域を判断する。ここで、図７は、全域が裏当て部である領域の説明図である。図７に示すように、裏当て部２は、スキャナ１１２で原稿１を読み込む際に、原稿１をはさんで読取側と反対側に設置される部分であり、図中の両矢印は、全幅が裏当て部２である水平位置の一例を示す。すなわち、全域が裏当て部である領域とは、原稿１を含まない水平位置の集合のことである。
【００８８】
ここで、原稿サイズ判断部１０２ｂは、画像の上端または下端から数ピクセルずつ、ずらしながら、階調レベルが変化する水平位置を探ることによって、全幅が裏当て部２である領域を判断してもよい。
【００８９】
そして、原稿サイズ判断部１０２ｂは、全幅が裏当て部２である領域を基準データ作成領域３（図の斜線部）に設定する。
【００９０】
そして、原稿サイズ判断部１０２ｂは、基準データ作成領域の平均階調等の階調値を求める。
【００９１】
そして、原稿サイズ判断部１０２ｂは、作成された基準データと画像データとを比較し差異を求めることにより、原稿のエッジを検出する。
【００９２】
ここで、原稿サイズ判断部１０２ｂは、画像処理により、裏当て部の階調付近で急峻な変化が得られるようなトーンカーブにて画像を変換して、エッジを検出してもよい。ここで、図８は、原稿サイズ判断部１０２ｂによる画像処理の制御を示す説明図である。
【００９３】
図８に示すように、原稿サイズ判断部１０２ｂは、裏当て部の階調レベル（図で一点鎖線で示す。）付近で急峻な変化が得られるようなトーンカーブを設定する。これにより、原稿の階調と裏当て部の階調の違いが明確になり、基準データと画像データをより比較し易くなり、原稿のエッジを容易に検出することができる。そして、原稿サイズ判断部１０２ｂは、このようにして検出したエッジの位置により原稿サイズを判断することができる。
【００９４】
すなわち、本実施の形態の本画像読取処理装置１００において、原稿サイズ判断部１０２ｂは、原稿画像の上端または下端に、全幅が裏当て部である領域が生じるように画像を読取る画像読取り部と、画像読取り部により読取られた、全幅が裏当て部である領域のイメージデータにて、原稿エッジ検出用の基準データを作成する基準データ作成部と、基準データ作成部により作成された基準データと画像データとを比較する基準データ比較部とを備え、この比較情報から原稿のエッジ検出を行うようにすることを特徴とする。ここで、原稿サイズ判断部１０２ｂは、生画像に画像処理を施す画像処理部を更に備え、この画像処理部により裏当て部の階調付近で急峻な変化が得られるようなトーンカーブにて画像を変換して、エッジ検出を行うようにしてもよい。
【００９５】
以上が、画像サイズ判断部１０２ｂによる原稿のエッジの検出を利用した原稿サイズ判断処理の説明である。これにより、原稿の裏当てを白補正やシェーディング補正するための白基準を設定するために、白色とした場合、原稿の背景色が白色であり裏当て部とのコントラスト差が小さい場合でも、正確に原稿画像を切り出し、原稿サイズの判断などを行うことができる。
【００９６】
［他の実施の形態］
さて、これまで本発明の実施の形態について説明したが、本発明は、上述した実施の形態以外にも、上記特許請求の範囲に記載した技術的思想の範囲内において種々の異なる実施の形態にて実施されてよいものである。
【００９７】
特に、本実施の形態においては、スキャナ１１２と画像読取処理装置１００は、別筐体で構成されるよう説明を行ったが、これに限られず、スキャナと画像読取処理装置を同一筐体で構成してもよい。すなわち、例えば、スキャナ筐体内に、マイクロチップ等を用いて実現する画像読取処理装置が組み込まれて構成されていてもよい。また、例えば、画像
読取処理装置１００がスタンドアローンの形態で処理を行う場合を一例に説明したが、画像読取処理装置１００とは別筐体で構成されるクライアント端末からの要求に応じて処理を行い、その処理結果を当該クライアント端末に返却するように構成してもよい。
【００９８】
また、実施の形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。
【００９９】
このほか、上記文献中や図面中で示した処理手順、制御手順、具体的名称、各処理の登録データや検索条件等のパラメータを含む情報、データベース構成については、特記する場合を除いて任意に変更することができる。
【０１００】
また、画像読取処理装置１００に関して、図示の各構成要素は機能概略的なものであり、必ずしも物理的に図示の如く構成されていることを要しない。
【０１０１】
例えば、画像読取処理装置１００の各装置が備える処理機能、特に制御装置１０２にて行われる各処理機能については、その全部または任意の一部を、ＣＰＵ（Ｃｅｎｔｒａｌ
Ｐｒｏｃｅｓｓｉｎｇ  Ｕｎｉｔ）および当該ＣＰＵにて解釈実行されるプログラムにて実現することができ、あるいは、ワイヤードロジックによるハードウェアとして実現することも可能である。尚、プログラムは、後述する記録媒体に記録されており、必要に応じて画像読取処理装置１００に機械的に読取られる。すなわち、ＲＯＭまたはＨＤなどの記憶装置１０６などは、ＯＳ（Ｏｐｅｒａｔｉｎｇ  Ｓｙｓｔｅｍ）として協働してＣＰＵに命令を与え、各種処理を行うためのコンピュータプログラムが記録されている。このコンピュータプログラムは、ＲＡＭにロードされることによって実行され、ＣＰＵと協働して制御部を構成する。
【０１０２】
また、このコンピュータプログラムは、画像読取処理装置１００に対して任意のネットワークを介して接続されたアプリケーションプログラムサーバに記憶されていてもよく、必要に応じてその全部または一部をダウンロードすることも可能である。
【０１０３】
また、本発明に係るアプリケーションプログラム等のプログラムを、コンピュータ読み取り可能な記録媒体に格納することもできる。ここで、この「記録媒体」とは、フレキシブルディスク、光磁気ディスク、ＲＯＭ、ＥＰＲＯＭ、ＥＥＰＲＯＭ、ＣＤ−ＲＯＭ、ＭＯ、ＤＶＤ等の任意の「可搬用の物理媒体」、あるいは、ＬＡＮ、ＷＡＮ、インターネットに代表されるネットワークを介してプログラムを送信する場合の通信回線や搬送波のように、短期にプログラムを保持する「通信媒体」を含むものとする。
【０１０４】
また、「プログラム」とは、任意の言語や記述方法にて記述されたデータ処理方法であり、ソースコードやバイナリコード等の形式を問わない。なお、「プログラム」は必ずしも単一的に構成されるものに限られず、複数のモジュールやライブラリとして分散構成されるものや、ＯＳ（Ｏｐｅｒａｔｉｎｇ  Ｓｙｓｔｅｍ）に代表される別個のプログラムと協働してその機能を達成するものをも含む。なお、実施の形態に示した各装置において記録媒体を読み取るための具体的な構成、読み取り手順、あるいは、読み取り後のインストール手順等については、周知の構成や手順を用いることができる。
【０１０５】
記憶装置１０６に格納される各種のデータベース等（設定情報記憶ファイル１０６ａ〜メールアドレス帳ファイル１０６ｃ）は、ＲＡＭ、ＲＯＭ等のメモリ装置、ハードディスク等の固定ディスク装置、フレキシブルディスク、光ディスク等のストレージ手段であり、各種処理やプログラム、テーブル、データベース、ファイル等を格納する。
【０１０６】
また、画像読取処理装置１００は、既知のパーソナルコンピュータ、ワークステーション等の情報処理装置を接続し、該情報処理装置に本発明の方法を実現させるソフトウェア（プログラム、データ等を含む）を実装することにより実現してもよい。
【０１０７】
更に、装置の分散・統合の具体的形態は図示するものに限られず、その全部または一部を、各種の付加等に応じた任意の単位で、機能的または物理的に分散・統合して構成することができる。
【産業上の利用可能性】
【０１０８】
以上詳述に説明したように、本発明によれば、利用者が手動でアプリケーションを切り替えることなく、読取られた原稿サイズに応じて自動的にアプリケーションを切り替えて起動させることができる、利便性を向上させた画像読取処理装置および画像読取処理方法並びに、プログラム、記録媒体を提供することができる。
【図面の簡単な説明】
【０１０９】
【図１】本発明が適用される本画像読取処理装置の構成の一例を示すブロック図である。
【図２】レイアウト等識別部１０２ｇによって、認識されるレイアウトの一例を示す図である。
【図３】本実施の形態における本画像読取処理装置１００のスキャナ制御処理、原稿サイズ判断処理および起動アプリケーション判断処理の一例を示すフローチャートである。
【図４】複数ページ処理の一例を示すフローチャートである。
【図５】本実施の形態における本画像読取処理装置１００の複数ページで名刺サイズがない場合の処理の一例を示すフローチャートである。
【図６】本実施の形態における本画像読取処理装置１００のファイル管理用アプリケーション部１０２ｆの処理の一例を示すフローチャートである。
【図７】全域が裏当て部である領域の説明図である。
【図８】原稿サイズ判断部１０２ｂによる画像処理の制御を示す説明図である。
【符号の説明】
【０１１０】
１００  画像読取処理装置
１０２  制御装置
１０２ａ  スキャナ制御部
１０２ｂ  原稿サイズ判断部
１０２ｃ  起動アプリケーション判断部
１０２ｄ  アプリケーション部
１０２ｅ  登録アプリケーション部
１０２ｆ  ファイル管理用アプリケーション部
１０２ｇ  レイアウト等識別部
１０６  記憶装置
１０６ａ  設定情報記憶ファイル
１０６ｂ  名刺データベース
１０６ｃ  メールアドレス帳ファイル
１０８  入出力制御インターフェース部
１１２  スキャナ
【図１】
2008131254.tif 000003
【図２】
2008131254.tif 000004
【図３】
2008131254.tif 000005
【図４】
2008131254.tif 000006
【図５】
2008131254.tif 000007
【図６】
2008131254.tif 000008
【図７】
2008131254.tif 000009
【図８】
2008131254.tif 000010